(57)【特許請求の範囲】
【請求項１】
排稈を一定間隔に切断するカッタ機構（８）上方に排稈の供給口（１）を形成し、該供給口（１）の開閉を行う切換板（２）を、支持軸（４）によって左右の側枠（３），（３）間に回動自在に掛渡した排稈カッタ装置において、該支持軸（４）を、切換板（２）を取着する主軸（５）側と、該主軸（５）に対して回動可能に連結した保持軸（７）側とに分割すると共に、側板（３）に対する保持軸（７）の回動可能範囲を規制する係止部（６）と、前記主軸（５）側と保持軸（７）側とが互いに回動及び固定可能な連結部を設け、該連結部の固定を解除させることにより、切換板（２）を係止部（６）に規制されることなく後方へ大きく回動可能に構成したことを特徴とする排稈カッタの排稈経路切換板。
【発明の詳細な説明】
【０００１】
【発明の属する技術分野】
本発明は、コンバインの脱穀済排稈をカッタ機構内へ送り込む切断経路と、該カッタ機構外へ送り出す集稈経路とを切換える排稈カッタの排稈経路切換板に関する。
【０００２】
【従来の技術】
従来の排稈カッタは左右の側枠に一本の支持軸を回動自在に掛渡し、該支持軸に取着した排稈経路切換板によって排稈の供給口を閉鎖して排稈の集稈経路を形成したり、該切換板を一定角度に起立させることで該供給口を開放して排稈の切断経路を形成する構成をしていた。
又、この時の支持軸は、側枠に形成の係止部によってその回動可能範囲を規制されるものであった。
【０００３】
【発明が解決しようとする課題】
排稈の切断作業は、上記の如く切換板を起立させて切断経路を形成し、コンバインから送られてくる排稈を飛散させるようなことがないように該起立させた切換板で受止めながらカッタ機構上方の供給口へ導いて行っている。
しかし、この切断作業において、カッタ機構に巻付いた稈を取除く時等には該切換板が妨げとなり容易にカッタ機構のメンテナンスを行うことができなかった。その為切換板を側枠から取外したり、又は排稈カッタ全体をコンバインから取外したりすることで上記カッタ機構のメンテナンス作業を行い易くしようとするに、部品の取外し等の面倒な作業が多く大変煩しいものであった。
【０００４】
【課題を解決するための手段】
そこで本発明は、排稈を一定間隔に切断するカッタ機構８上方に排稈の供給口１を形成し、該供給口１の開閉を行う切換板２を、支持軸４によって左右の側枠３，３間に回動自在に掛渡した排稈カッタ装置において、該支持軸４を、切換板２を取着する主軸５側と、該主軸５に対して回動可能に連結した保持軸７側とに分割すると共に、側板３に対する保持軸７の回動可能範囲を規制する係止部６と、前記主軸５側と保持軸７側とが互いに回動及び固定可能な連結部を設け、該連結部の固定を解除させることにより、切換板２を係止部６に規制されることなく後方へ大きく回動可能に構成したことを特徴とする排稈カッタの排稈経路切換板の構成とした。
【０００５】
【発明の作用及び効果】
本発明の排稈経路切換板においては支持軸４を、切換板２を取着する主軸５側と、該主軸５に対して回動可能に連結した保持軸７側とに分割すると共に、側板３に対する保持軸７の回動可能範囲を規制する係止部６と、前記主軸５側と保持軸７側とが互いに回動及び固定可能な連結部を設け、該連結部の固定を解除させることにより、切換板２を係止部６に規制されることなく後方へ大きく回動可能に構成したものであるから、平時は主軸５と保持軸７を互いに連結固定して従来の排稈カッタの如く切換板２によって排稈の供給口１を閉鎖したり、該切換板２を一定角度に起立させたりして排稈の集稈経路と切断経路を形成することができる。
又、カッタ機構８のメンテナンスを行う時等には上記主軸５と保持軸７との連結固定状態を解除し、該主軸５を単独で回動操作可能とすることによって、該主軸５に取着の切換板２を係止部６に規制されることなく大きく回動させカッタ機構８上方を広範囲に開放してメンテナンス作業を容易に行うことができる。
【０００６】
【実施例】
次に、本発明の実施例を図面を参照しながら説明する。
カッタ機構８は平行状に相対向する一対の回転軸９，９に沿って配列される複数の回転刃１０，１０間の近接回転によって脱穀済排稈を短く切断する。
回転軸９，９は、左右の側枠３，３間に軸受され互いに反対方向に回転するものであり、コンバイン本機からの駆動力を側枠３外側の伝動プーリ１１で受けて連動回転される。
カッタ機構８上方にはコンバインから搬送される排稈の供給口１を形成しており、該供給口１を通って送り込まれる排稈を上記カッタ機構８により切断する。
【０００７】
２は該供給口１の開閉を行う切換板であり、カッタ機構８上方で左右の側枠３，３間に掛渡した支持軸４によって回動自在に装着すると共に、該支持軸４を主軸５と保持軸７とに分割構成している。
主軸５はその周面の略全長に亘って上記切換板２を溶着しており、該主軸５の回動に伴って切換板２が回動して上記供給口１の開閉を行うように構成し、さらに該主軸５の一端を保持軸７に形成の嵌入穴１２に嵌入連結して一本の支持軸４を構成している。
１３は上記軸５，７の連結部近傍にて切換板２に溶着した固定プレートであり、保持軸７から突出させた固定アーム１４とボルト１５によって連結することで該軸５，７の連結固定を行う。
係止部６は、上記固定アーム１４から外方に向けて規制ピン１６を突出し、該規制ピン１６で側枠３に形成した規制長穴１７を嵌通することによって構成しており、該規制ピン１６の回動可能範囲、即ち保持軸７の回動可能範囲を規制する。
【０００８】
以上の構成の排稈カッタを用いて脱穀済排稈の集稈作業を行う時には、切換板２によってカッタ機構８上方の供給口１を閉鎖して排稈の集稈経路を形成し、コンバインから搬送されてくる排稈を上記カッタ機構８内へ送り込むことなく後方へ搬送し集稈する。
次に、脱穀済排稈の切断作業を行う時には、切換板２を一定角度に起立させることで供給口１を開放して排稈の切断経路を形成し、コンバインから搬送されてくる排稈を上記カッタ機構８内へ導き切断する。この時該一定角度に起立させた切換板２は、コンバインから搬送されてくる排稈が排稈カッタを飛越えて飛散するようなことがないように該排稈を受止めながら供給口１へと誘導する。
上記切断作業状態時においては、切換板２を溶着する主軸５と回動可能範囲を規制される保持軸７とをボルト１５によって連結固定し、該切換板２の回動可能範囲を規制しているのでコンバインから搬送されてくる排稈が切換板２に衝突して押圧しても、該切換板２が押開けられることなく排稈の飛散防止効果を保持する。
【０００９】
該切断作業においてカッタ機構８に稈が巻付いた時には、上記主軸５と保持軸７を連結固定していたボルト１５を取外して該軸５，７が個別に回動することができるようにする。このことにより主軸５がその回動可能範囲を係止部６によって規制されることなく、即ち該主軸５に溶着した切換板２が一定角度を越えて大きく回動可能となり、カッタ機構８上方を広範囲に亘って開放して作業者が容易に該カッタ機構８に巻付いた稈を取除いたり、メンテナンスを行ったりすることができるのである。
【００１０】
尚、上記実施例においては、主軸５と保持軸７の回動及び固定の切換操作をボルト１５の着脱によって行っているが、該切換方法はこの実施例に限定することなく様々な手段で行えばよく例えば、保持軸７に形成の嵌入穴１２を六角穴とし、該穴１２に六角加工を施した主軸５を嵌入することで該軸５，７を連結固定し、又、該六角部同志の噛合いを解除することで主軸５が単独で回動することができるような構成としてもよい。
又、請求の範囲の項に図面との対象と便利にする為に番号を記すが、この記入により本発明は添付図面の構造に限定されるものではない。
【図面の簡単な説明】
【図１】  本発明実施例における全体背面図。
【図２】  本発明実施例における主要部の拡大背面図。
【図３】  本発明実施例における集稈経路を形成した状態を示す全体側面図。
【図４】  本発明実施例における切断経路を形成した状態を示す全体側面図。
【図５】  本発明実施例における切換板２を大きく開放した状態を示す全体側面図。
【図６】  本発明実施例におけるカッタ機構８の背面図。
【符号の説明】
１    供給口
２    切換板
３    側枠
４    支持軸
５    主軸
６    係止部
７    保持軸
８    カッタ機構
【図１】
0004006749.tif 000002
【図２】
0004006749.tif 000003
【図３】
0004006749.tif 000004
【図４】
0004006749.tif 000005
【図５】
0004006749.tif 000006
【図６】
0004006749.tif 000007